(57)【要約】【課題】遠赤外線よりも暖かさを感じることができる電磁波であるテラヘルツ波をより効果的に発生することができるサポーターを提供する。【解決手段】サポーター１０は、伸縮性を有する素材、例えば繊維を用いて形成されているサポーター本体１１を有している。サポーター本体１１は、１０００℃を超える高温で燃焼された籾殻から抽出された植物性ブラックシリカの粉末状の植物性パウダー１２が、含有または付着されている。このように植物性パウダー１２が含有または付着されているサポーター１０は、植物性ブラックシリカの効果によって効能を発揮する。【選択図】図２
0003210843.tif 000002
【実用新案登録請求の範囲】
【請求項１】
身体の所定の部分に装着されるように形成されているサポーターであって、
伸縮性を有する素材を用いて形成されているサポーター本体を有し、
前記サポーター本体は、１０００℃を超える高温で燃焼された籾殻から抽出された植物性ブラックシリカの粉末状の植物性パウダーが、含有または付着されていることを特徴とするサポーター。
【考案の詳細な説明】
【技術分野】
【０００１】
本考案は、サポーターに関する。
【背景技術】
【０００２】
一般的に、膝、腰、肩、首などの関節の痛みを和らげ疲労感を軽減するためにサポーターが用いられており、このサポーターに遠赤外線放射性セラミックスを用いたものが知られている（特許文献１参照）。
【先行技術文献】
【特許文献】
【０００３】
【特許文献１】特開２００４−３３２１２８号公報
【考案の概要】
【考案が解決しようとする課題】
【０００４】
上記の遠赤外線放射性セラミックスを用いたサポーターにおいては、遠赤外線の効果が限定的でありより良いものが必要とされていた。すなわち、より効果的に膝、腰、肩、首などを温めることができるサポーターが求められていた。
【０００５】
本考案は、こうした点に鑑みてなされたものであり、遠赤外線よりも暖かさを感じることができる電磁波であるテラヘルツ波をより効果的に発生することができるサポーターを提供する。
【課題を解決するための手段】
【０００６】
上記課題を解決するために、本考案に係るサポーターは、身体の所定の部分に装着されるように形成されているサポーターであって、伸縮性を有する素材を用いて形成されているサポーター本体を有し、前記サポーター本体は、１０００℃を超える高温で燃焼された籾殻から抽出された植物性ブラックシリカの粉末状の植物性パウダーが、含有または付着されていることを特徴とする。
【考案の効果】
【０００７】
本考案によれば、遠赤外線よりも暖かさを感じることができる電磁波であるテラヘルツ波をより効果的に発生することができるサポーターを提供することができる。
【図面の簡単な説明】
【０００８】
【図１】実施形態のサポーターの装着状態の一例を示す模式図である。
【図２】実施形態のサポーターの構成の一例を説明する模式図である。
【考案を実施するための形態】
【０００９】
以下、本考案の植物性パウダーを用いたサポーターの実施形態を、図１及び図２を用いて説明する。
【００１０】
図１は実施形態のサポーター１０を示す模式図である
【００１１】
図１に示すサポーター１０は、身体の所定の部分、つまり膝、腰、肩、首などに装着されるように形成されているサポーターの一例である。この例において、サポーター１０は、図１に示すように膝Ｈに装着されるように形成されている。
【００１２】
図２に示すように、サポーター１０は、伸縮性を有する素材、例えば繊維を用いて形成されているサポーター本体１１を有しており、このサポーター本体１１は、１０００℃を超える高温で燃焼された籾殻から抽出された植物性ブラックシリカの粉末状の植物性パウダー１２が、含有または付着されている。この例においては、植物性ブラックシリカを粉末状にして用いているが、これに限定されず、例えば粒状、固形状などであってもよい。
【００１３】
この例において、図２に示すように円形状に形成された複数の植物性パウダー１２は、サポーター本体１１の肌に接する面に付着されている構成となっている。しかし、植物性パウダー１２がサポーター本体に含有または付着されている構成は、これに限定されず、含有または付着させる方法は、例えば、塗布、シート状に形成されたもの、繊維に混在させるなど種々の技術がありそれらを用いてもよい。なお、上記の種々の技術の詳細な説明は省略する。
【００１４】
また、上記のサポーター１０は、植物性パウダー１２を用いた膝Ｈ用のサポーターであるが、これに限定されず、例えば、上記のとおり膝Ｈ以外の腰、肩、首などのサポーターであってもよく、さらに植物性パウダー１２は、アイマスクに用いてもよい。
【００１５】
このように植物性パウダー１２が含有または付着されているサポーター１０は、１０００℃を超える高温で燃焼された籾殻から抽出された植物性ブラックシリカの効果によって効能を発揮する。すなわち、この例において膝Ｈに装着されたサポーター１０の植物性ブラックシリカから発生するテラヘルツ波が、患部を温め治癒する。
【００１６】
また、サポーター１０に用いられる植物性パウダー１２は、１０００℃を超える高温で燃焼された籾殻から抽出された植物性ブラックシリカの粉末であり、一例として、１２００℃以上で燃焼された籾殻から抽出された植物性ブラックシリカであってもよい。このような植物性ブラックシリカを用いることにより、上記のテラヘルツ波の発生が、より大きなものとなり、その結果サポーター１０の膝Ｈに対する温熱効果がより大きなものとなる。
【００１７】
さらに、この植物性ブラックシリカを用いたサポーター１０の効果として、体温以下の温度、例えば約２６℃でテラヘルツ波を発生するという顕著なものがある。例えば、サポーター１０が、膝Ｈに装着されることで、植物性パウダー１２の温度が体温に近いものとなり、テラヘルツ波の発生が増長され、つまり植物性ブラックシリカから放出されるテラヘルツ波は、身体の内部に浸透するという機能を有しており、このようなテラヘルツ波の機能により温熱効果、治癒効果などの顕著な効果を発揮することができる。上記の治癒効果の一例として、風邪などによる喉の痛みが、首に巻きつけたサポーターにより緩和されるということも期待できる。
【００１８】
ここで、上記の籾殻から植物性シリカの抽出には種々の方法において、簡単に一例を紹介する。
【００１９】
一般的に、籾殻を燃焼させることでシリカを製造することができるが、例えば燃焼温度が約７００℃であれば炭素との混合体となってしまうことにより、抽出されたシリカの純度が低いものとなり、シリカとしての品質が悪く利用価値がないという背景があった。
【００２０】
そこで、籾殻を１０００℃以上の高温で燃焼させると、籾殻が完全燃焼し、籾殻に含まれる植物性ブラックシリカがアモルファス形状または多結晶となり、この結果、植物性ブラックシリカを連続的に生成することができ、高品質な植物性ブラックシリカを大量に効率的に製造することが可能になった。そして、このような方法で籾殻の燃焼状態及び燃焼温度を安定化させ、高品質な植物性ブラックシリカを大量に効率的に製造することが可能になっている。
【００２１】
本考案は、この植物性ブラックシリカに着目し、サポーターに使用することを着想し、上記のような顕著な効果を有するサポーターとして具体化している。なお、本考案では、体の痛みの緩和、治癒などに効果を発揮する植物性ブラックシリカをサポーターに用いることを具体化しているが、これに限定せず、植物性ブラックシリカを衣服などに含有または付着させ、健康維持を図るものとして具体化することができる。
【００２２】
以上、本考案の有する特徴及び優れた点を上記実施形態に記載したが、本考案は、本願の実用新案登録請求の範囲で使用されている言葉を広く一般的な意味に拡張して実施することができる。
【００２３】
また、本考案のサポーターは、大きさや形状、素材の種類、厚さ、重さなどについては多様な実施形態が可能であり、それらについて本実施形態と異なる形態による実施は、本考案の技術的範囲に含まれる。
【符号の説明】
【００２４】
１０    サポーター
１１    サポーター本体
１２    植物性パウダー
Ｈ      膝
【図１】
0003210843.tif 000003
【図２】
0003210843.tif 000004